(57)【要約】【課題】覆い部を構成する両部材の合わせ面が向く方向が均一でない場合でも、構造が複雑となるのを抑制することができる、覆い部の合わせ部の防水構造を提供する。【解決手段】機器８を覆う覆い部４の一部をなす第一部材４１、第二部材４５を備える。第一部材４１と第二部材４５との合わせ部５となる第一合わせ部５１および第二合わせ部５２を有する。第一合わせ部５１となる第一部材４１の第一合わせ面５１ａおよび第二部材４５の第二合わせ面５１ｂが、第一部材４１と第二部材４５との隣接方向を向く。第一合わせ面５１ａおよび第二合わせ面５１ｂの間の隙間を閉塞するパッキン５３が設けられて液体の浸入を抑制する第一抑制部となる。第二合わせ部５２となる第一部材４１の第三合わせ面５２ａおよび第二部材４５の第四合わせ面５２ｂが、覆い部４の内外方向を向き、且つ、内外方向に重なってパッキンなしで液体の浸入を抑制する第二抑制部となる。【選択図】図３
2015224436.tif 000002
【特許請求の範囲】
【請求項１】
機器を覆う覆い部の一部をなす第一部材と、前記覆い部の残りの一部または全部をなす第二部材と、を備え、
前記第一部材と前記第二部材との合わせ部となる第一合わせ部および第二合わせ部を有し、
前記第一合わせ部となる前記第一部材の第一合わせ面および前記第一合わせ面に対向する前記第二部材の第二合わせ面が、前記第一部材と前記第二部材との隣接方向を向き、前記第一合わせ面および前記第二合わせ面の間の隙間を閉塞するパッキンが設けられて液体の浸入を抑制する第一抑制部となり、
前記第二合わせ部となる前記第一部材の第三合わせ面および前記第三合わせ面に対向する前記第二部材の第四合わせ面が、前記覆い部の内外方向を向き、且つ、前記内外方向に重なってパッキンなしで液体の浸入を抑制する第二抑制部となることを特徴とする覆い部の合わせ部の防水構造。
【請求項２】
前記第一部材または前記第二部材に設けられる構造物に前記パッキンとは別のパッキンを有し、前記別のパッキンにより、前記第一合わせ部と前記第二合わせ部との間の隙間を閉塞することを特徴とする請求項１記載の覆い部の合わせ部の防水構造。
【請求項３】
前記別のパッキンは、前記第一部材または前記第二部材の前記合わせ部に沿う段部を有していることを特徴とする請求項１または２記載の覆い部の合わせ部の防水構造。
【請求項４】
前記別のパッキンは、薄肉部を有していることを特徴とする請求項１ないし３のいずれか一項に記載の覆い部の合わせ部の防水構造。
【発明の詳細な説明】
【技術分野】
【０００１】
本発明は、覆い部の合わせ部の防水構造に関する。
【背景技術】
【０００２】
従来、機器を覆う覆い部が第一部材および第二部材を備え、合わせ部で合わせられるものが多々利用されている。そして、合わせ部において第一部材と第二部材との間にパッキンを介在させることにより、合わせ部に防水性能を付与することが行われている（例えば特許文献１参照）。
【先行技術文献】
【特許文献】
【０００３】
【特許文献１】特許第２６２５９０３号公報
【発明の概要】
【発明が解決しようとする課題】
【０００４】
特許文献１に示されるものにあっては、合わせ部全長に亘って、第一部材の合わせ面と第二部材の合わせ面が互いに部材の隣接方向を向いており、平板の矩形環状をした簡単な構成のパッキンが使用可能となっている。
【０００５】
しかしながら、場合によっては、合わせ部の一部において、両部材の合わせ面が互いに部材の隣接方向を向き、合わせ部の他の部分において、両部材の合わせ面が互いに部材の隣接方向を向かず、覆い部の内外方向を向くことがある。このような場合には、一つの簡単な構成のパッキンを用いることが困難であり、防水構造が複雑となる惧れがあった。
【０００６】
本発明は上記従来の問題点に鑑みて発明したものであって、その目的とするところは、覆い部を構成する両部材の合わせ面が向く方向が均一でない場合でも、構造が複雑となるのを抑制することができる、覆い部の合わせ部の防水構造を提供することにある。
【課題を解決するための手段】
【０００７】
本発明に係る覆い部の合わせ部の防水構造は、機器を覆う覆い部の一部をなす第一部材と、前記覆い部の残りの一部または全部をなす第二部材と、を備え、前記第一部材と前記第二部材との合わせ部となる第一合わせ部および第二合わせ部を有し、前記第一合わせ部となる前記第一部材の第一合わせ面および前記第一合わせ面に対向する前記第二部材の第二合わせ面が、前記第一部材と前記第二部材との隣接方向を向き、前記第一合わせ面および前記第二合わせ面の間の隙間を閉塞するパッキンが設けられて液体の浸入を抑制する第一抑制部となり、前記第二合わせ部となる前記第一部材の第三合わせ面および前記第三合わせ面に対向する前記第二部材の第四合わせ面が、前記覆い部の内外方向を向き、且つ、前記内外方向に重なってパッキンなしで液体の浸入を抑制する第二抑制部となることを特徴とする。
【０００８】
また、前記第一部材または前記第二部材に設けられる構造物に前記パッキンとは別のパッキンを有し、前記別のパッキンにより、前記第一合わせ部と前記第二合わせ部との間の隙間を閉塞することが好ましい。
【０００９】
また、前記別のパッキンは、前記第一部材または前記第二部材の前記合わせ部に沿う段部を有していることが好ましい。
【００１０】
また、前記別のパッキンは、薄肉部を有していることが好ましい。
【発明の効果】
【００１１】
本発明の覆い部の合わせ部の防水構造にあっては、覆い部を構成する両部材の合わせ面が向く方向が均一でない場合でも、構造が複雑となるのを抑制することができる。
【図面の簡単な説明】
【００１２】
【図１】第一実施形態の便器装置の覆い部付近の前斜め上方より見た斜視図である。
【図２】第一実施形態のボウル部ユニットの第二部材上端部の右端付近の前斜め上方より見た斜視図である。
【図３】第一実施形態の便器装置の第一合わせ部付近の左右に垂直な断面図である。
【図４】第一実施形態のボウル部ユニットの第二部材上端部の右端付近の後斜め上方より見た斜視図である。
【図５】第一実施形態のボウル部ユニットの第二部材上端部の右端付近の平面断面図である。
【図６】図６Ａは第一実施形態の第一合わせ部の右端に設けられるパッキンの右斜め上方より見た斜視図であり、図６Ｂは第一実施形態の第一合わせ部の右端に設けられるパッキンの左斜め上方より見た斜視図である。
【図７】第一実施形態のパッキンが設けられた第一上部材および第一下部材の右端付近の斜め下方より見た斜視図である。
【図８】第一実施形態のボウル部ユニットの第二部材のパッキンが設けられた上端部の右端付近の前斜め上方より見た斜視図である。
【図９】第一実施形態の便器装置の覆い部の右端付近の前斜め上方より見た一部透過した斜視図である。
【図１０】第一実施形態のボウル部ユニットの第二部材のパッキンが設けられた上端部の右端付近の正面図である。
【図１１】第一実施形態のボウル部ユニットの第二部材上端部の左端付近の後斜め上方より見た斜視図である。
【図１２】第一実施形態の便器装置の上端部の左端付近の平面断面図である。
【図１３】図１３Ａは第一実施形態の第一合わせ部の左端に設けられるパッキンの前斜め上方より見た斜視図であり、図１３Ｂは同パッキンの後斜め上方より見た斜視図であり、図１３Ｃは同パッキンの背面図である。
【図１４】第一実施形態のボウル部ユニットの第二部材の機器、パッキンが設けられた上端部の左端付近の前斜め上方より見た斜視図である。
【図１５】第一実施形態のボウル部ユニットの第二部材の機器、パッキンが設けられた上端部の左端付近の正面図である。
【図１６】第一実施形態のボウル部ユニットの第二部材の機器が設けられた上端部の左端付近の正面図である。
【図１７】第一実施形態のボウル部ユニットの三つのパッキンが設けられた第二部材付近の前斜め上方より見た斜視図である。
【発明を実施するための形態】
【００１３】
本発明の第一実施形態について添付図面に基いて説明する。本発明の防水構造が適用される物品は、第一実施形態においては便器装置１であるが、特に限定されず、洗濯機や冷蔵庫をはじめ、様々な機器類に適用可能である。
【００１４】
図１に示すように、便器装置１は、ボウル部ユニット２と、局部洗浄装置ユニット３と、を備える。
【００１５】
ボウル部ユニット２は、便器本体２０を備えている。便器本体２０は、ボウル部２１と、ボウル部２１の上端開口縁の全周にわたって形成されたリム２２を備えている。リム２２の上面は、便座（不図示）が載置される便座載置面となる。ボウル部２１の底部の後部には回動自在な排水筒部（不図示）が設けられ、ボウル部２１で溜水が形成される状態と、溜水および汚物が排出される状態とが適宜切り替え可能である。なお便宜上、図１に示すように、便座に着座した使用者が向く方を前方Ｆとするとともにその反対を後方Ｂとし、左右方向は、後方Ｂを向いた時の左方Ｌ、右方Ｒとする。
【００１６】
局部洗浄装置ユニット３は、図示しないが、局部洗浄装置と、機能部品と、を備えている。局部洗浄装置は、局部洗浄ノズルと、局部洗浄ノズルを駆動する駆動手段と、駆動手段を制御する制御部と、を備えている。機能部品は、送風ダクト、貯湯タンク、送水用ポンプ、温風ファン等であり、特に限定されないものであり、また、機能部品を備えていなくてもよい。
【００１７】
局部洗浄装置ユニット３は、図１に示すように、前端部に、局部洗浄装置（特に制御部）や機能部品等の機器８（図１４〜図１７参照）を覆う覆い部４の一部（これを第一部材４１とする）を備えている。第一部材４１は、第一の実施形態では、前方および上方に開放される、正面視略Ｕ字状の略箱状をした第一下部材４２と、第一下部材４２の上開口を閉塞する第一上部材４３と、を備えている。第一下部材４２と第一上部材４３とが合わせられて、前開口４４（図７参照）を有する略箱状をした第一部材４１が形成される。
【００１８】
ボウル部ユニット２には、図１に示すように、リム２２の後部の後端部よりも前方の上面に、覆い部４の一部（これを第二部材４５とする）が立設されている。第一実施形態では、第二部材４５の下側部分４５ａは、後方へ行く程上方に位置する傾斜を有しており、上側部分４５ｂは、略垂直に立設されているが、立設角度や形状は特に限定されない。第二部材４５は、第一部材４１の前開口４４を閉塞するように合わせられて、第一部材４１および第二部材４５とで覆い部４を構成する。覆い部４により、ボウル部ユニット２から局部洗浄装置ユニット３への水（液体）の浸入を防止する防水構造が構成される。
【００１９】
また、リム２２の後端部に、局部洗浄ノズルがボウル部内２１に突没するために挿通される開口部２３が形成される。
【００２０】
第一部材４１および第二部材４５は、図２に示すように、合わせ部５にて合わせられて、覆い部４としての防水機能を発揮している。言い換えると、合わせ部５において防水機能を有する必要がある。
【００２１】
合わせ部５は、第一合わせ部５１および第二合わせ部５２を有するものである。図３に示すように、第一合わせ部５１は、第一部材４１の第一合わせ面５１ａ、および、第一合わせ面５１ａに対向する第二部材４５の第二合わせ面５１ｂを有する。第一合わせ面５１ａ、および、第二合わせ面５１ｂは、第一部材４１と第二部材４５との隣接方向を向くものである。そして、第一合わせ面５１ａと第二合わせ面５１ｂとの間の隙間を閉塞するパッキン５３が設けられて、液体の浸入を抑制する第一抑制部を構成するものである。
【００２２】
第一実施形態においては、図３に示すように、第一上部材４３の前端部から下方に突出する下リブ４６が設けられており、この下リブ４６よりも後方の部分が、下方を向く第一合わせ面５１ａとなっている。また、第二部材４５の上面からさらに上方に上リブ４７が設けられており、この上リブ４７の上端面が上方を向く第二合わせ面５１ｂとなっている。第一合わせ部５１においては、第一部材４１と第二部材４５との隣接方向が上下方向となっている。
【００２３】
第一合わせ面５１ａと第二合わせ面５１ｂとの間の隙間を閉塞するパッキン５３は、下方に開口する断面形状をしており、上リブ４７に上方より被せられている。なお、第一実施形態のパッキン５３は、第一層５３ａと第二層５３ｂの二層のパッキンにより構成されているが、特に限定されない。
【００２４】
第二合わせ部５２は、図５、図１２に示すように、第一部材４１の第三合わせ面５２ａ、および、第三合わせ面５２ａに対向する第二部材４５の第四合わせ面５２ｂを有する。第三合わせ面５２ａ、および、第四合わせ面５２ｂは、覆い部４の内外方向を向き、且つ、内外方向に重なってパッキンなしで液体の浸入を抑制する第二抑制部を構成するものである。
【００２５】
第一実施形態においては、図４、図１１に示すように、第二部材４５の左右両端部が後方に屈曲する屈曲部４８を有している。そして、図５、図１２に示すように、屈曲部４８の後端面の左右外端縁より若干内方に寄った位置から、後方に突出する後リブ４９が設けられている。そして、この後リブ４９の外側を向く面が、第四合わせ面５２ｂとなっている。また、第四合わせ面５２ｂに対向する、第一下部材４２の左右両側壁の前端部の内側を向く面が、第三合わせ面５２ａとなっている。第二合わせ部５２においては、第三合わせ面５２ａおよび第四合わせ面５２ｂが、第一部材４１と第二部材４５との隣接方向である前後方向ではなく、覆い部４の内外方向である左右方向を向いている。
【００２６】
このように、第一合わせ部５１の第一合わせ面５１ａおよび第二合わせ面５１ｂが向く方向と、第二合わせ部５２の第三合わせ面５２ａおよび第四合わせ面５２ｂが向く方向とが、互いに異なっている。このため、第一合わせ部５１に設けられるパッキン５３が、簡単な構成でそのまま連続して第二合わせ部５２に設けられることは難しい。このため、第一実施形態では、パッキン５３は第一合わせ部５１にのみ設けられ、第二合わせ部５２にはパッキンは設けられないようになっている。
【００２７】
また、第一合わせ部５１と第二合わせ部５２との間には、液体が浸入可能な隙間が生じる惧れが高いため、このような隙間を閉塞するパッキンが設けられるもので、以下に説明する。
【００２８】
まず、図４、図５に示す第一合わせ部５１の右端と、右側の第二合わせ部５２との間の隙間を閉塞するパッキン６について説明する。
【００２９】
図６に示すように、パッキン６は、上下に貫通する孔からなる取付部６１が設けられている。図７に示すように、取付部６１をなす孔には、第一上部材４３に設けられるボス４３ａが挿通される。ボス４３ａは、第一上部材４３の第一合わせ部５１の右端の対応する部分から下方に突出するものである。ボス４３ａは、第一下部材４２に設けられる被嵌部（不図示）へ嵌入される。
【００３０】
また第一実施形態では、図４に示すように、ボス４３ａおよびボス４３ａに被嵌されたパッキン６との干渉を回避する凹部４５ｃが形成されており、図８に示すように、凹部４５ｃにパッキン６が挿入される。このように、第一実施形態では、ボス４３ａが、直線状の第一合わせ部５に設けられるパッキン５３の長手方向をなす直線上に位置する構造物となっている。このボス４３ａが位置することにより、同一断面をした簡単な構成のパッキン５３の使用が阻害されているが、パッキン５３とは別体のパッキン６が設けられることにより、構造物がかわされている。
【００３１】
すなわち、第一実施形態では、機器８を覆う覆い部４の一部をなす第一部材４１と、覆い部４の残りの一部または全部をなす第二部材４５と、を備えている。第一部材４１と第二部材４５とは直線状をした合わせ部５にてパッキン５３を介して合わせられて、覆い部４をなす。合わせ部５の一部（途中部分、端部）に構造物が配置されているため、構造物に対応する部分にパッキン５３を配置せず、別のパッキン６を構造物に設けて、パッキン５３とパッキン６とで連続した防水構造をなすようにしたものといえる。
【００３２】
図７に示す前開口４４に第二部材４５が合わせられ、図９に示すように、第一合わせ部５１の右端と、右側の第二合わせ部５２との間の隙間がパッキン６に閉塞される。これにより、第一合わせ部５１、パッキン６、右側の第二合わせ部５２にて連続する防水構造が構成される。
【００３３】
またパッキン６は、図６に示すように、上リブ４７の側端面に当接する部分６２を備えており、図１０に示すように、この部分６２が上リブ４７の側端面に当接するように配置される。またパッキン６は、図６に示すように、上リブ４７の上面（第二合わせ面５１ｂ）に当接する部分６３を備えており、図１０に示すように、この部分６３が上リブ４７の上面に当接するように配置される。またパッキン６は、図６に示すように、上リブ４７の上面に当接する部分６３を備えており、図１０に示すように、この部分６３が上リブ４７の上面に当接するように配置される。またパッキン６は、図６に示すように、パッキン５３の側端面に当接する部分６４を備えており、図１０に示すように、この部分６４がパッキン５３の側端面に当接するように配置される。またパッキン６は、図６に示すように、パッキン５３の上面に当接する部分６５を備えており、図１０に示すように、この部分６５がパッキン５３の上面に当接するように配置される。このように、パッキン６は第一部材４１または第二部材４５の合わせ部５に沿う段部（段差構造）有している。これにより、パッキン５３の右端の位置決めがなされ、パッキン５３の右端とパッキン６との間に隙間が形成されるのが抑制される。
【００３４】
次に、図１１、図１２に示す第一合わせ部５１の左端と、左側の第二合わせ部５２との間の隙間を閉塞するパッキン７について説明する。
【００３５】
図１３に示すように、パッキン７は、正面視下向きＬ字状をしたものである。パッキン７は、上リブ４７の上面に当接する部分７１を備えており、図１４〜図１６に示すように、この部分７１が上リブ４７の上面に当接するように配置される。このように、パッキン７は第一部材４１または第二部材４５の合わせ部５に沿う段部を有している。またパッキン７は、図１３に示すように、右方Ｒへ行く程上方に位置する傾斜部７２を備えている。この傾斜部７２は、図１５に示すように上リブ４７に対して所定の配置がなされたときに、パッキン５３の左端の位置Ｐ１に配置されるように設計される。
【００３６】
パッキン５３の長手方向（上リブ４７に設けられたときの左右方向）の長さは、製造誤差によるばらつきが生じる。上述したように、パッキン５３は右端が位置決めされているため、長さにばらつきが生じると、パッキン５３の左端の位置Ｐ１にばらつきが生じる。傾斜部７２は、そのいずれの部分にパッキン５３の左端が位置しても、パッキン５３の左端を下方に押し、パッキン５３との間に隙間が生じ難くする。また、右方Ｒへ行く程、パッキン５３の存在確率は高いが、傾斜部７２が右方Ｒへ行く程上方に位置しているため、存在確率の高いところではパッキン５３による変形代が少なくてすみ、無駄な変形が抑制されつつ、良好な止水性能が得られる。
【００３７】
また、図１３に示すように、パッキン７は、傾斜部７２に対応する部分が薄肉部７３となっている。図１３中の符号７２ａは後側から見た傾斜部７２に対応する部分である。傾斜部７２に対応する部分が薄肉部７３となることにより、上述したように傾斜形状による変形により止水性能が良好となるのに加え、パッキン５３に沿った形状に変形し易くなり、さらなる止水性能の向上が図られる。
【００３８】
また、図１３に示すように、パッキン７は、機器８との干渉を回避する凹部７４が形成されており、図１４に示すように、凹部７４に機器８が挿入される。
【００３９】
第一部材４１と第二部材４５とが合わせられて、第一合わせ部５１の左端と、左側の第二合わせ部５２との間の隙間がパッキン７に閉塞される。これにより、第一合わせ部５１、パッキン６、左側の第二合わせ部５２にて連続する防水構造が構成される。
【符号の説明】
【００４０】
４    覆い部
４１  第一部材
４５  第二部材
５    合わせ部
５１  第一合わせ部
５１ａ  第一合わせ面
５１ｂ  第二合わせ面
５２  第二合わせ部
５２ａ  第三合わせ面
５２ｂ  第四合わせ面
５３  パッキン
８    機器
【図１】
2015224436.tif 000003
【図２】
2015224436.tif 000004
【図３】
2015224436.tif 000005
【図４】
2015224436.tif 000006
【図５】
2015224436.tif 000007
【図６】
2015224436.tif 000008
【図７】
2015224436.tif 000009
【図８】
2015224436.tif 000010
【図９】
2015224436.tif 000011
【図１０】
2015224436.tif 000012
【図１１】
2015224436.tif 000013
【図１２】
2015224436.tif 000014
【図１３】
2015224436.tif 000015
【図１４】
2015224436.tif 000016
【図１５】
2015224436.tif 000017
【図１６】
2015224436.tif 000018
【図１７】
2015224436.tif 000019